(57)【特許請求の範囲】
【請求項１】
ＳＩＰプロトコルに対応した遠隔通信ネットワークのためのアプリケーション・サーバであって、
複数のユーザ設定呼オプションを格納するメモリを含み、該複数のユーザ設定呼オプションの各々は、対応する複数の電話機が接続されている家庭用ゲートウェイを識別する番号と関連する複数の電話番号のうちの１つ又は複数の電話番号を含み、
該アプリケーション・サーバは、
ゲートウェイを識別する番号への呼を確立する要求を受信し、
該家庭用ゲートウェイを識別する番号を送信することによってロケーション・サーバに問い合わせを行って、該家庭用ゲートウェイに接続された電話機を指定する少なくとも１つの番号を該ロケーション・サーバから受信し、
受信された該少なくとも１つの番号への少なくとも１つの呼を呼制御装置が確立することを要求するように構成され、
少なくとも１つの呼を該呼制御装置が確立することの要求は、該家庭用ゲートウェイに接続された電話機をそれぞれが指定する各種番号から少なくとも１つの選択された番号と、該少なくとも１つの選択された番号で指定される複数の電話機の各々への呼を確立する要求とを含む、アプリケーション・サーバ。
【請求項２】
請求項１に記載のアプリケーション・サーバにおいて、
ユーザが、該家庭用ゲートウェイに接続された複数の電話機の中から１つ又は複数の電話機を事前に選択することにより、該アプリケーション・サーバを設定することを可能にするように構成される、アプリケーション・サーバ。
【請求項３】
ＳＩＰプロトコルに対応した遠隔通信ネットワークのための、家庭用ゲートウェイに接続された端末のためのロケーション・サーバであって、
ゲートウェイ識別子、及び、該家庭用ゲートウェイに接続された各種電話機をそれぞれ識別する各種番号を記憶し関連付けるメモリを含み、
該ロケーション・サーバは、
アプリケーション・サーバから、該ゲートウェイ識別子を含む要求を受信し、
該ゲートウェイ識別子で識別される該家庭用ゲートウェイに接続された複数の電話機を識別する各種番号を、該アプリケーション・サーバに送信するように構成され、該各種番号は、該メモリにおいて読み取られ、
該アプリケーション・サーバは、該家庭用ゲートウェイを識別する番号への少なくとも１つの呼を呼制御装置が確立することを要求し、
少なくとも１つの呼を該呼制御装置が確立することの要求は、該家庭用ゲートウェイに接続された電話機をそれぞれが指定する各種番号から少なくとも１つの選択された番号と、該少なくとも１つの選択された番号で指定される複数の電話機の各々への呼を確立する要求とを含む、ロケーション・サーバ。
【発明の詳細な説明】
【技術分野】
【０００１】
本発明は、遠隔通信ネットワークのためのアプリケーション・サーバであって、ＳＩＰ（セッション開始プロトコル）のシグナリング・プロトコルに対応し、インターネット・プロトコルを介した従来の電話通信、インターネット・プロトコルを介した移動電話通信、およびインターネット・アクセス、の少なくとも３つのサービスの組合せを提供するアプリケーション・サーバに関する。テレビ放送を提供することも可能であるが、本発明はテレビ放送には適用されない。このサービスの組合せを利用するために、ユーザは、ＡＤＳＬ回線（非対称デジタル加入者回線）またはテレビ分配ケーブルを通じて従来の遠隔通信ネットワークに接続された、インターネット・プロトコルに対応した家庭用ゲートウェイを自宅に備える。住宅内で、このゲートウェイは、以下に接続することができる。
・配線接続により、１つ（または複数）の従来の電話機（すなわちアナログ・インタフェースに接続するもの）。この従来型電話機は、有線でも配線でもよく、例えばＤＥＣＴ（デジタル・エンハンス・コードレス電話）タイプである。
・１つ（または複数）のＷｉＦｉ携帯電話。すなわち、家庭用ゲートウェイに接続または内蔵されたＷｉＦｉアクセス・ポイントにＷｉＦｉ接続で接続される。
・配線またはＷｉＦｉ接続を通じて、特に電話ソフトウェアを実行するパーソナル・コンピュータ。
・場合によっては、配線またはＷｉＦｉ接続を通じてテレビ。
【０００２】
パーソナル・コンピュータおよびＷｉＦｉ携帯電話は、インターネット・プロトコル・ファミリーに準拠したデータ・パケットの形態で電話信号を送受信する。家庭用ゲートウェイは、従来型電話機から提供されたアナログ信号を、インターネット・プロトコル・ファミリーに準拠したデータ・パケットに変換し、次いでネットワークに送信する。それに対して、ゲートウェイは、ネットワークによって送信された同様のパケットを受信し、従来型電話機で受け付けることが可能なアナログ信号に変換する。
【０００３】
本発明は、より詳細には、ユーザが自宅におり、したがってＷｉＦｉ携帯電話を使用できる状況に関する。この携帯電話は、ＷｉＦｉモードで使用される、デュアルモードのセルラ／ＷｉＦｉ電話であってもよい。以下では、ＷｉＦｉ携帯電話を使用して、ＷｉＦｉ電話機とＷｉＦｉ／セルラ・デュアルモード電話機の両方を指す。従来型の電話機は、配線または無線接続を使用して家庭用ゲートウェイのアナログ・インタフェースに接続することが可能な任意の電話機を指す。本発明は、ローカル無線ネットワークを介して家庭用ゲートウェイに接続することができる他の種類の携帯電話、例えばＢｌｕｅｔｏｏｔｈタイプの電話機にも適用される。
【０００４】
少なくとも３つのサービスのこの組合せに加入しているユーザには、従来型電話機に固有で、従来ネットワークの電話番号計画に属している番号をダイヤルすることにより、その従来型電話機で電話をかけることができる。ＷｉＦｉ携帯電話を有するユーザには、そのＷｉＦｉ携帯電話に固有で、同じく従来ネットワークの電話番号計画に属している番号をダイヤルすることによって、ＷｉＦｉ携帯電話で電話をかけることができる。第１の場合には、従来の電話機が、鳴動し、電話をとることが可能な唯一の電話機である。第２の場合には、ＷｉＦｉ電話機が、鳴動し、電話をとることが可能な唯一の電話機である。
【０００５】
１つの住宅内にこのサービスの組合せを使用する住人が数人いる場合、各人が自分用のＷｉＦｉ携帯電話を持っている可能性がある。単一の家庭用ゲートウェイで、それぞれ数個のＷｉＦｉ携帯電話における数個の発信呼および着信呼に同時に対応することができ、各ＷｉＦｉ電話機は、従来ネットワークの電話番号計画に属している個々の番号を有する。この住宅の従来型電話機も固有の個別番号、すなわち、同じゲートウェイに接続することが可能な１つまたは複数のＷｉＦｉ携帯電話の番号とは異なる番号を有する。１つの家庭用ゲートウェイに接続された従来型電話機が数台あり、同じ番号、または、独立した複数の通話を可能にする別々の番号を有する場合もある。
【背景技術】
【０００６】
１台の従来型電話機と１台のＷｉＦｉ携帯電話が同じ家庭用ゲートウェイに接続されている単純な事例を考える。この家に住んでいるユーザに電話をかけたい場合は、従来型電話機の番号にかけるか、そのユーザのＷｉＦｉ携帯電話の番号にかけるかのいずれかを選択しなければならない。第１の場合には、従来型電話機だけが鳴動する。第２の場合は、そのユーザのＷｉＦｉ携帯電話だけが鳴動し、したがって、たとえそれが望まれる場合であっても他のユーザが代わりに電話に出ることはできない。
【０００７】
この不都合を解消する周知の方法は、要求元の端末に、ＷｉＦｉ携帯電話と従来型電話機を同時に鳴動させるための３者通話を確立するように求めることを伴う。しかし、この方法は、発呼者が追加的な動作を行う必要があるため実用的ではない。さらに、発呼者は、どのＷｉＦｉ携帯電話がその家にあるのかを知ることができない。
【発明の概要】
【発明が解決しようとする課題】
【０００８】
本発明の第１の目的は、発呼者がその家の従来型電話機のディレクトリ番号をダイヤルした時に、少なくともその住宅内にあるＷｉＦｉ携帯電話が鳴るようにすることである。
【０００９】
本発明の第２の目的は、発呼者がその従来型電話機のディレクトリ番号をダイヤルした時に、その住宅内にある少なくとも１つの従来型電話機と１つのＷｉＦｉ携帯電話を同時に鳴動させることである。
【００１０】
本発明の第３の目的は、発呼者が従来型電話機のディレクトリ番号をダイヤルした時に、被呼側のユーザが以下のような各種の選択肢から選択できるようにすることである。
・ゲートウェイに接続されたそのユーザの固定電話のみを鳴動させる。
・ゲートウェイに接続されたそのユーザのＷｉＦｉ電話のみを鳴動させる。
・ゲートウェイに接続された従来型電話機（１つまたは複数）とそのユーザのＷｉＦｉ携帯電話を同時に鳴動させる。または、
・ゲートウェイに接続された少なくとも１つの従来型電話機とすべてのＷｉＦｉ携帯電話を同時に鳴動させる。
【課題を解決するための手段】
【００１１】
本発明の第１の目的は、ＳＩＰプロトコルに対応した遠隔通信ネットワークのためのアプリケーション・サーバであって、
ゲートウェイを識別する番号への呼を確立する要求を受信する手段と、
次いで、そのゲートウェイを識別する番号を別の装置に送信することによってその装置に問い合わせを行って、そのゲートウェイに接続された電話機を指定する少なくとも１つの番号をその別の装置から受信する手段と、
そのようにして受信された番号で識別される少なくとも１つの電話機への少なくとも１つの呼を呼制御装置が確立することを要求する手段と
を備え、
少なくとも１つの呼を呼制御装置が確立することを要求する手段は、そのゲートウェイに接続された電話機をそれぞれが指定する各種番号から少なくとも１つの番号を選択し、次いでそのようにして選択された番号で指定される各電話機への呼の確立を要求する手段を備えることを特徴とするアプリケーション・サーバである。
【００１２】
第１の実施形態によれば、選択する手段は、常に、そのゲートウェイに接続された電話機をそれぞれ指定するすべての番号を選択する。
【００１３】
好ましい実施形態によれば、アプリケーション・サーバは、ユーザが、前記ゲートウェイに接続された電話機の中から１つまたは複数の電話機を事前に選択するようにこのサーバを設定することを可能にする手段をさらに備える。
【００１４】
このような特徴を持つサーバを使用して、同一の構内にある、各種電話機から選択された少なくとも１つの電話機を鳴動させる。例えば、サーバは、誰かが従来型電話機に対応する番号に電話をかけた時に、ＷｉＦｉ携帯電話を鳴動させることができる。これは、サーバのメモリ内でＷｉＦｉ携帯電話の番号と従来型電話機の番号が関連付けられているために従来型電話機からＷｉＦｉ携帯電話の番号を知ることができるためであり、また、ユーザが、ゲートウェイに接続された２つの電話機から携帯電話を選択するように事前にこのサーバを設定することができるためである。その結果、発呼者が従来型電話機の番号を呼び出している場合でも、ＷｉＦｉ電話の利点（特にＷｉＦｉサービス・エリア内での移動性）が得られる。
【００１５】
このような特徴を有するサーバは、従来型電話機に対応する番号のみをダイヤルすることによりＷｉＦｉ携帯電話と従来型電話機の両方を鳴らすことも可能にする。これは、ＷｉＦｉ携帯電話の番号と従来型電話機の番号がサーバのメモリ内で関連付けられているために従来型電話機の番号からＷｉＦｉ携帯電話の番号を知り、見つけることができ、また、アプリケーション・サーバがそれら２つの番号をともに選択するように事前に設定されていることにより、従来型電話機への呼と、ＷｉＦｉ携帯電話への呼の２つの呼を確立するためである。被呼側のユーザは、従来型電話機で電話に出ることも、自分のＷｉＦｉ携帯電話で電話に出ることもできる。
【００１６】
従来型電話機とＷｉＦｉ携帯電話が同時に鳴ると、時に混乱させる場合がある。例えば、場合によって、ユーザは、従来型電話機（１つまたは複数）を鳴らして家の中にいる他の人の邪魔をしないように、自分のＷｉＦｉ電話機だけで目立たないように電話に出たい場合がある。
【００１７】
数個の番号から１つの番号を選択する手段は、ユーザが、任意の時にこのサーバを設定して、サーバが以下を要求するようにすることを可能にする。
・そのようにして受信された番号で識別されるすべての電話機へのそれぞれ複数の呼を確立する。または、
・そのようにして受信された番号で識別される所定の携帯電話のみへの１つの呼を確立する。または、
・そのようにして受信された番号で識別される所定の従来型電話機のみへの１つの呼を確立する。
【００１８】
本発明は、ＳＩＰプロトコルに対応した遠隔通信ネットワークのための、家庭用ゲートウェイに接続された端末のためのロケーション・サーバを目的とし、このロケーション・サーバは、
ゲートウェイ識別子、および
そのゲートウェイに接続された各種電話機をそれぞれ識別する各種番号
を記憶し、関連付ける手段と、
別の装置から、ゲートウェイ識別子を含む要求を受信する手段と、
そのゲートウェイ識別子で識別されるゲートウェイに接続された電話機を識別する各種番号を、この場合はその別の装置に送信する手段であって、それらの番号は記憶手段において読み取られる手段と
を備えることを特徴とする。
【００１９】
以下の説明および添付図面の助けを借りて、本発明がよりよく理解され、他の特徴が明らかになろう。
【図面の簡単な説明】
【００２０】
【図１】従来の公衆網を介して別のＳＩＰタイプの公衆網に接続された家庭用ゲートウェイを備える住宅内の加入者機器を図式形態で示す図であって、ＳＩＰタイプの公衆網は、本発明によるアプリケーション・サーバの実施例と、本発明による、家庭用ゲートウェイに接続された端末のためのロケーション・サーバの実施例とを備える図である。
【図２】ＩＭＳ（インターネット・プロトコル・マルチメディア・サブシステム）タイプではない、ＳＩＰ（セッション開始プロトコル）タイプの遠隔通信ネットワークを図式形態で示す図である。
【図３】ＳＩＰタイプ、より具体的にはＩＭＳタイプの遠隔通信ネットワークを図式形態で示す図である。
【図４】本発明による、アプリケーション・サーバと、家庭用ゲートウェイに接続された端末のためのロケーション・サーバの実施例の動作時の信号交換の時間図である。
【発明を実施するための形態】
【００２１】
図１に示す例では、住宅Ｈは、家庭用ゲートウェイＲＧＷ、および、図で参照符号ＡＤＳＬを付す非対称デジタル加入者回線によって、従来の公衆網ＰＳＴＮに接続されている。従来のネットワークＰＳＴＮは、非対称デジタル加入者回線用のアクセス・マルチプレクサ／デマルチプレクサ（参照符号ＤＳＬＡＭ）を備え、これにより、ＲＧＷゲートウェイ等の家庭用ゲートウェイは、インターネット・プロトコルおよびＳＩＰプロトコルに対応している別の公衆網ＩＰＮにアクセスすることができる。このＩＰＮネットワークは、本発明によるアプリケーション・サーバの実施例ＡＳと、本発明による、家庭用ゲートウェイに接続された端末のためのロケーション・サーバの実施例ＬＳとを備える。
【００２２】
住宅Ｈは、ＲＧＷゲートウェイに接続された以下の加入者機器を備える。
・スティーブが所有するセルラ／ＷｉＦｉデュアルモード携帯電話Ｔ１。グローバル・セルラ・ネットワーク内の番号０６５６５４３４５６と、ＩＰＮネットワーク内のＳＩＰ番号０６５６５４３４５６＠ｉｍｓを有する。
・メアリが所有するセルラ／ＷｉＦｉデュアルモード携帯電話Ｔ２。グローバル・セルラ・ネットワーク内の番号０６７６５６５４３２と、ＩＰＮネットワーク内のＳＩＰ番号０６７６５６５４３２＠ｉｍｓを有する。
・スティーブとメアリが使用することができる従来のアナログ配線電話Ｔ３。従来の公衆網ＰＳＴＮの番号０１６５７８７６５４を有する。
【００２３】
家庭用ゲートウェイＲＧＷは、従来型電話機Ｔ３のためのアナログ・インタフェースと、数台のＷｉＦｉ携帯端末が接続することが可能なＷｉＦｉアクセス・ポイントを備える。家庭用ゲートウェイＲＧＷは、従来型電話機Ｔ３には電線で接続され、ＷｉＦｉセルラ電話Ｔ１、Ｔ２、およびＰＣにはＷｉＦｉ接続で接続される。
【００２４】
従来の公衆網ＰＳＴＮに接続された任意種類の電話機Ｔ４を有するユーザ、ジョンを想定する。ジョンは、自分の電話機Ｔ４で、例えば従来ネットワークＰＳＴＮの電話番号計画にある従来型電話機Ｔ３の番号０１６５７８７６５４をダイヤルすることによってスティーブに電話をかける。図２〜４に、呼が確立され、スティーブがそのオプションを選択している場合に、スティーブのＷｉＦｉ携帯電話Ｔ１、メアリのＷｉＦｉ携帯電話Ｔ２、および従来型電話機Ｔ３を鳴動させる仕組みを示す。
【００２５】
図２に、ＳＩＰ（セッション開始プロトコル）タイプの遠隔通信ネットワークを図式形態で示す。このネットワークは、ＩＭＳ（インターネット・プロトコル・マルチメディア・サブシステム）タイプではない。この遠隔通信ネットワークは、サービス・プロバイダ層ＳＰを備え、サービス・プロバイダ層ＳＰは、基本的に、ＳＩＰレジストラ・サーバＳＩＰＲ、ＳＩＰプロキシ・サーバＳＩＰＰ、電話アプリケーション・サーバＡＳ、およびロケーション・サーバＬＳを備える。従来のレジストラ・サーバＳＩＰＲとプロキシ・サーバＳＩＰＰが使用される。
【００２６】
アプリケーション・サーバＡＳは、本発明によるアプリケーション・サーバの実施例であり、所与の家庭用ゲートウェイを介して呼を確立しなければならない時に、その家庭用ゲートウェイに現在どのＷｉＦｉ電話機が接続されているかをロケーション・サーバＬＳに問い合わせ、次いで呼制御装置に呼を確立するように要求するソフトウェア手段を備える。これらの機能については図４を参照して後述する。アプリケーション・サーバＡＳは、メモリＭ’’を備え、メモリＭ’’は、ゲートウェイ識別子、ゲートウェイに関連付けられた従来型電話機を識別する番号、および、ゲートウェイに関連付けられ、在宅時には接続されるべきユーザのＷｉＦｉ携帯電話の識別子を保持している。
【表１】
0005647101.tif 000002
【００２７】
このメモリの目的は、ユーザによって設定された種々の通話オプションも記憶することである。
【００２８】
ロケーション・サーバＬＳは、本発明によるロケーション・サーバの実施例であり、以下を備える。
・以下を記憶し、関連付けるためのメモリＭ。
・家庭用ゲートウェイの識別子。例えば、ゲートウェイＲＧＷのＩＤ０Ｉ６５７８７６５４。
・所与の時にこの家庭用ゲートウェイの無線インタフェースに接続される、ＷｉＦｉ携帯電話Ｔ１等の携帯電話や、Ｔｅｌｅｐｈｏｎｙ  ｏｖｅｒ  Ｉｎｔｅｒｎｅｔ  Ｐｒｏｔｏｃｏｌソフトウェアを備えたＰＣを識別する少なくとも１つの番号。
・サーバＡＳ等のアプリケーション・サーバから、家庭用ゲートウェイの識別子を含んだ要求を受信する手段。および、
・該当する場合に、この場合にはこのアプリケーション・サーバに、家庭用ゲートウェイに接続された１つまたは複数の携帯電話を識別する１つまたは複数の番号を送信する手段。
例えば、ロケーション・サーバＬＳのメモリＭは、図１に示す例の場合には以下の番号を記憶し、関連付けている。
【表２】
0005647101.tif 000003
【００２９】
他の実施例では、従来型電話機の番号をゲートウェイ識別子として使用することができる。
【００３０】
図３は、ＳＩＰタイプ、より具体的にはＩＭＳタイプの遠隔通信ネットワークを図式形態で示す。この遠隔通信ネットワークは、従来のＩＭＳ層（参照符号ＩＭＳＬ）を備え、この層は基本的に以下を備える。
・従来のプロキシ機能Ｐ−ＣＳＣＦ。端末がＩＭＳＬ層に接触する際の最初のポイントとなる。
・加入者の認証および位置特定のために介入する従来の問い合わせ機能Ｉ−ＣＳＣＦ。
・特にネットワーク内に存在する加入者の登録を管理する従来のサービス機能Ｓ−ＣＳＣＦ。
【００３１】
このネットワークは、アプリケーション・サーバ層ＡＳＬも備え、この層は、例えば、電話アプリケーション・サーバＡＳ’、ロケーション・サーバＬＳ’、ビデオ・アプリケーション・サーバＶＣ、．．．、「プッシュ・トゥー・トーク」アプリケーション・サーバＰＴＴを備える。
【００３２】
電話アプリケーション・サーバＡＳ’は、図２を参照して説明したネットワークのアプリケーション・サーバＡＳと同様の役割を果たす。ロケーション・サーバＬＳ’は、図２を参照して説明したネットワークのロケーション・サーバＬＳ’と同様の役割を果たす。ロケーション・サーバＬＳ’は、メモリＭと同様のメモリＭ’を備える。
【００３３】
図４は、本発明によるアプリケーション・サーバおよびロケーション・サーバの実施例の動作時の信号交換の時間図である。より正確には、図４は、スティーブが、自分自身のＷｉＦｉ携帯電話Ｔ１、メアリのＷｉＦｉ携帯電話Ｔ２、および従来型電話機Ｔ３を同時に鳴動させることを伴うオプションを選択し、それに応じてアプリケーション・サーバを設定している例を表す。
【００３４】
関係するネットワークは、ＳＩＰシグナリング・プロトコルとインターネット・プロトコルに対応したネットワークであり、これは図２に示す例（非ＩＭＳタイプ）であっても、図３に示す例（ＩＭＳタイプ）であってもよい。この例では、アプリケーション・サーバＡＳ（またはそれぞれＡＳ’）が、従来型電話機Ｔ３、メアリのＷｉＦｉ携帯電話Ｔ２、およびスティーブのＷｉＦｉ携帯電話Ｔ１を同時に鳴動させるように設定される。
【００３５】
ステップ４１：ジョンがメアリとスティーブの家に電話をかけたい。ジョンは、従来型電話機Ｔ３およびメアリとスティーブの家の家庭用ゲートウェイの両方を識別する番号である０１６５７８７６５４をダイヤルする。この番号は、電話網の電話番号計画に属している。従来のシグナリング・メッセージ、ＩＮＶＩＴＥ  ｓｉｐ：０１６５７８７６５４がアプリケーション・サーバＡＳに送られる。
【００３６】
ステップ４２：次いでアプリケーション・サーバＡＳが、要求、ＳＬＰ  ＩＮＦＯ  ０１６５７８７６５４をロケーション・サーバＬＳに送信する。このＳＩＰ要求の空きフィールドを使用して、どのＷｉＦｉ携帯端末が現在家庭用ゲートウェイＲＧＷのＷｉＦｉインタフェースに接続されているかを問い合わせ、ゲートウェイＲＧＷは、その要求に含まれるディレクトリ番号０１６５７８７６５４で識別される。この例では、スティーブのＷｉＦｉ電話Ｔ１とメアリのＷｉＦｉ電話Ｔ２がゲートウェイＲＧＷに接続されている。スティーブのＰＣは接続されていない。
【００３７】
ステップ４３：ロケーション・サーバＬＳが、従来の２００  ＯＫ  ＳＩＰメッセージでアプリケーション・サーバＡＳに応答する。このＳＩＰメッセージは、本発明の実施のために、２つのユニフォーム・リソース識別子（いわばＳＩＰプロトコルと互換性のある電話番号のようなもの）を含んでいる。１つの識別子「ｓｉｐ：０６７６５６５４３２＠ｄｏｍａｉｎ」は、スティーブのＷｉＦｉ電話Ｔ１を指定し、もう１つの識別子「ｓｉｐ：０６５６５４３４５６＠ｄｏｍａｉｎ」は、メアリのＷｉＦｉ電話Ｔ２を指定する。
【００３８】
ステップ４４：アプリケーション・サーバＡＳが、メモリＭ’’内のメアリとスティーブの住宅に関連付けられたＷｉＦｉ電話と、種々の設定オプションを検証した後、要求「ＩＮＶＩＴＥ  ０１６５７８７６５４；ｓｉｐ：０６７６５６５４３２＠ｄｏｍａｉｎ；ｓｉｐ：０６５６５４３４５６＠ｄｏｍａｉｎ」を送信する。この要求は、ＣＣ装置（他の図には図示せず）をあて先とし、ＣＣ装置は、従来型電話機Ｔ３、携帯電話Ｔ２、および携帯電話Ｔ１それぞれに３つの呼が確立されることを要求するようにＩＰＮネットワーク内で呼の制御を行う。
【００３９】
ステップ４５、４６、４７。呼制御装置ＣＣが次いで、次の３つの呼確立要求を同時に送信する。
ＩＮＶＩＴＥ  ０１６５７８７６５４。従来型電話機Ｔ３のインタフェースとして機能する家庭用ゲートウェイＲＧＷを対象とする。
ＩＮＶＩＴＥ  ｓｉｐ：０６５６５４３４５６＠ｄｏｍａｉｎ。ＷｉＦｉ電話Ｔ２を対象とする。
ＩＮＶＩＴＥ  ｓｉｐ：０６７６５６５４３２＠ｄｏｍａｉｎ。ＷｉＦｉ電話Ｔ１を対象とする。
【００４０】
ステップ４８：すべての電話、すなわち従来型電話機Ｔ３、メアリのＷｉＦｉ電話Ｔ２、スティーブのＷｉＦｉ電話Ｔ１がともに鳴動する。メアリは電話に出ない。スティーブが電話に出て、自分のＷｉＦｉ電話Ｔ１で呼を受ける。従来のＳＩＰメッセージは、折り返し端末が鳴動していることを通知するが、図が混み合わないように図にはそのメッセージを図示しない。
【００４１】
ステップ４９：スティーブのＷｉＦｉ電話Ｔ１が、呼制御装置ＣＣに、スティーブのＷｉＦｉ電話Ｔ１が呼を受けていることを知らせる２００−ＯＫメッセージを送信する。従来のＳＩＰメッセージは、それに応答して、ジョンの電話Ｔ４がそのメッセージを受信したことを知らせるが、このＳＩＰメッセージは図示しない。
【００４２】
ステップ５０：ジョンの電話Ｔ４とスティーブのＷｉＦｉ電話Ｔ１の間に呼が実質的に確立される。
【００４３】
ステップ５１、５２。メアリのＷｉＦｉ電話Ｔ２と従来型電話機Ｔ３を鳴らし続ける必要はないので、呼制御装置ＣＣは次いで、次の２つの呼取り消し要求を同時に送信する。
ＣＡＮＣＥＬ  ０１６５７８７６５４。従来型電話機Ｔ３のインタフェースとして機能する家庭用ゲートウェイＲＧＷを対象とする。
ＣＡＮＣＥＬ  ｓｉｐ：０６５６５４３４５６＠ｄｏｍａｉｎ。メアリの電話Ｔ２を対象とする。
【００４４】
別の構成例では、ユーザは、接続されているすべての携帯電話を鳴動させるが、従来型電話機は鳴らさないようにアプリケーション・サーバＡＳを設定する。このサーバＡＳは、ステップ４４で、呼制御を実施するＣＣ装置をあて先とする要求、
ＩＮＶＩＴＥ  ｓｉｐ：０６７６５６５４３２＠ｄｏｍａｉｎ；ｓｉｐ：０６５６５４３４５６＠ｄｏｍａｉｎ
を送信して、それぞれ携帯電話Ｔ２と携帯電話Ｔ１への２つのみの呼を確立することを要求する。したがって、ＷｉＦｉ電話のみが鳴らされる。
【００４５】
別の構成例では、ユーザは、スティーブの携帯電話Ｔ１だけを鳴動させるようにアプリケーション・サーバＡＳを設定する。アプリケーション・サーバＡＳは、ステップ４４で、呼制御を実施するＣＣ装置をあて先とする要求、
ＩＮＶＩＴＥ  ｓｉｐ：０６５６５４３４５６＠ｄｏｍａｉｎ
を送信して、スティーブの携帯電話Ｔ１への１つのみの呼を確立することを要求する。
【００４６】
これらの種々の設定をプログラムするために、アプリケーション・サーバは、ユーザが上記の３つの操作方法の１つを選択することを可能にする手段を備える。例えば、メアリは、従来のブラウザを使用して専用ウェブサイトにアクセスして、以下の３つの選択肢の１つを選択することができる。
誰かが、従来のネットワークＰＳＴＮの電話番号計画でゲートウェイと従来型電話機Ｔ３を指定する番号０６５６５４３４５６にかけた時に、
・自分自身のＷｉＦｉ電話Ｔ２のみを鳴動させる。
・２つのＷｉＦｉ携帯電話Ｔ１およびＴ２のみを鳴動させる。
・従来型電話機Ｔ３と２つのＷｉＦｉ携帯電話Ｔ１およびＴ２を鳴動させる。
【００４７】
一実施例では、ロケーション・サーバＬＳは以下を備える。
・従来サーバ（図示せず）の存在の通知を利用するためのソフトウェア手段。このプレゼンス・サーバは、操作者の種々のＳＩＰ端末が接続されるゲートウェイの識別子を含むプレゼンス情報を受信する。その結果、ロケーション・サーバＬＳは、各時点で、どのＷｉＦｉ電話機が家庭用ゲートウェイＲＧＷに接続されているかを判断する。このロケーション・サーバＬＳは、必要な場合は、このプレゼンス・サーバをホストしているマシン、またはアプリケーション・サーバＡＳをホストしているマシンにホストすることができる。
・以下を記憶し、関連付けるためのソフトウェア手段。
・家庭用ゲートウェイＲＧＷを識別する識別子ＩＤ０１６５７８７６５４
・当該時点にこの家庭用ゲートウェイの無線インタフェースに接続されている各携帯電話Ｔ１、Ｔ２の番号。
・関係する家庭用ゲートウェイＲＧＷの識別子を含む要求をアプリケーション・サーバＡＳから受信するソフトウェア手段。
・この場合にはアプリケーション・サーバＡＳに、当該時点に、家庭用ゲートウェイの識別子で識別されるゲートウェイに接続されている各携帯電話の番号を送信する手段。この番号は、記憶手段において読み取られる。
【００４８】
別の実施例では、プレゼンス・サーバが許可した場合には、アプリケーション・サーバＡＳは、どの端末がゲートウェイＲＧＷに接続されているかを判定するために、このプレゼンス・サーバに（通常はＨＴＴＰプロトコルを使用して）直接問い合わせることができる。ＩＮＶＩＴＥメッセージがサーバＡＳで入手されると、サーバＡＳは、メモリＭ’’内でゲートウェイＲＧＷに関連付けられた各端末識別子について、例えばＨＴＴＰプロトコルを使用してプレゼンス・サーバに問い合わせる。プレゼンス・サーバは、各端末識別子についてのプレゼンス・ドキュメントで応答する。サーバＡＳは、入手したプレゼンス・ドキュメントから、その識別子に対応する端末がゲートウェイＲＧＷに接続されているかどうかを判定する。
【００４９】
本発明は、家庭用ゲートウェイ以外のゲートウェイ、例えば企業で使用されるゲートウェイにも適用される。本発明は、ＳＩＰプロトコルに対応したネットワークへのアクセスを提供するゲートウェイに一旦接続されると固定電話と携帯電話の両方に適用される。
【図４】
0005647101.tif 000004
【図１】
0005647101.tif 000005
【図２】
0005647101.tif 000006
【図３】
0005647101.tif 000007